(57)【要約】      （修正有）【課題】装着者の顔面を保護し、装着時において、顔面の露呈を抑制することができる顔面保護具を提供する。【解決手段】顔面保護具１００は、バンド部材１０、面状部材２０、第１シール部材３０、第２シール部材４０、保持部材を備えている。顔面保護具１００の装着時に、面状部材２０が、装着者の顔面を覆うように顔面に対向配置される。面状部材２０は、顔面における鼻孔および口を含む領域に対向する部位に切欠き部２１を備える。切欠き部２１は、マスク部材の保持時に、その全体がマスク部材により塞がれる。面状部材２０およびマスク部材により、装着者の鼻孔および口も含め、顔面の露呈が抑制され得、顔面が全体的に保護され得る。【選択図】図２
0003228840.tif 000002
【実用新案登録請求の範囲】
【請求項１】
装着者の頭部にて保持されることで、装着可能に構成された顔面保護具であって、
前記顔面保護具の装着時に、前記装着者の顔面を覆うように前記顔面に対向配置されるとともに、前記顔面における鼻孔および口を含む領域に対向する部位に切欠き部を有し、マスク部材を保持可能に構成された面状部材を備え、
前記切欠き部は、
前記マスク部材の保持時に、前記マスク部材により塞がれるとともに、前記顔面保護具の装着時に、前記保持されたマスク部材が前記領域を覆うように構成された顔面保護具。
【請求項２】
請求項１に記載の顔面保護具であって、
前記面状部材の外周部に配置され、前記顔面保護具の装着時に、前記顔面と前記面状部材の外周部との間隙をシールする第１シール部材を更に備えた顔面保護具。
【請求項３】
請求項２に記載の顔面保護具において、
前記第１シール部材は、
低反発性を有するスポンジ状材料により構成された顔面保護具。
【請求項４】
請求項１乃至請求項３の何れか一項に記載の顔面保護具において、
前記面状部材は、
前記顔面保護具の装着時に、前記顔面に対向するとともに、前記顔面における鼻梁を起点として両頬部に向けて夫々伸びる線に沿うよう構成されたリブを備え、
前記リブに被せるように配置され、前記顔面保護具の装着時に、少なくとも前記鼻梁と当接するとともに、前記顔面と前記リブとの間隙をシールする第２シール部材を更に備えた顔面保護具。
【請求項５】
請求項４に記載の顔面保護具において、
前記リブは、
前記面状部材の外周部まで伸長するよう構成されるとともに、
前記第２シール部材は、
前記面状部材の外周部において、前記第１シール部材と当接するよう構成された顔面保護具。
【請求項６】
請求項４または請求項５に記載の顔面保護具において、
前記第２シール部材は、
前記鼻梁と当接する部位において、前記鼻梁の湾曲に沿うよう構成された湾曲部を備えた顔面保護具。
【請求項７】
請求項４乃至請求項６の何れか一項に記載の顔面保護具において、
前記第２シール部材は、
可撓性を有するシリコーン系材料により構成された顔面保護具。
【請求項８】
請求項４乃至請求項７の何れか一項に記載の顔面保護具において、
前記面状部材は、
前記リブと前記切欠き部との間に相当する部位に、栓部材により閉塞可能に構成された貫通孔を更に備えた顔面保護具。
【請求項９】
請求項８に記載の顔面保護具において、
前記貫通孔は、
前記面状部材を貫く前記貫通孔の軸線と、前記面状部材の面に沿った鉛直方向の線との成す正面下側の角が、鈍角となるよう構成された顔面保護具。
【請求項１０】
請求項１乃至請求項９の何れか一項に記載の顔面保護具であって、
前記マスク部材および前記面状部材を一体的に挟み込むことが可能なよう構成されたクリップ状の保持部材を更に備え、
前記面状部材は、
前記切欠き部の端部に、前記保持部材と嵌め合う嵌合部を更に備え、
前記嵌合部にて、前記マスク部材の端部が前記保持部材により挟み込まれることで、前記マスク部材の保持が可能となるよう構成された顔面保護具。
【請求項１１】
請求項１乃至請求項１０の何れか一項に記載の顔面保護具において、
前記面状部材は、
透明性を有するアクリル系材料により構成された顔面保護具。
【考案の詳細な説明】
【技術分野】
【０００１】
本考案は、装着者の顔面を保護する顔面保護具に関する。
【背景技術】
【０００２】
近年、顔面保護具として、その着装時に着装者の顔面における眼部周りを覆うゴーグルと、顔面における鼻孔および口を覆うマスクとを備えたものが、開発されてきている（例えば、特許文献１を参照）。この顔面保護具においては、ゴーグルおよびマスクが、ゴーグル下枠部において互いに連結可能に構成されている。このため、装着時において、小鼻周辺もマスクにて適切に覆われ得る。従って、花粉などの侵入を抑制することができる。
【先行技術文献】
【特許文献】
【０００３】
【特許文献１】実用新案登録第３１５３２０６号公報
【考案の概要】
【０００４】
顔面保護具においては、その装着時において、顔面の露呈部を極力少なくする要望がある。上述の顔面保護具によれば、装着時において、顔面のうち、ゴーグルおよびマスクにて覆えない領域が比較的大きくなる。このため、露呈部を少なくする要望に応えることが困難である。
【０００５】
本考案の目的は、装着者の顔面を保護する顔面保護具であって、その装着時において、顔面の露呈を抑制することができるものを提供することにある。
【０００６】
本考案による顔面保護具は、装着者の頭部にて保持されることで、装着可能に構成される。本考案による顔面保護具の特徴は、顔面保護具の装着時に、装着者の顔面を覆うように顔面に対向配置されるとともに、顔面における鼻孔および口を含む領域に対向する部位に切欠き部を有し、マスク部材を保持可能に構成された面状部材を備えたことにあり、さらに、切欠き部が、マスク部材の保持時に、マスク部材により塞がれるとともに、顔面保護具の装着時に、保持されたマスク部材が上記領域（すなわち、上記「鼻孔および口を含む領域」）を覆うように構成されたことにある。
【０００７】
これによれば、顔面保護具の装着時において、面状部材により、切欠き部に対応する顔面の領域（すなわち、上記「鼻孔および口を含む領域」）以外が覆われる。一方、面状部材にマスク部材が保持されることで、この領域は、マスク部材により覆われる。従って、装着者の顔面の露呈が抑制され得る。
【０００８】
上記考案に係る顔面保護具においては、面状部材の外周部に配置され、顔面保護具の装着時に、顔面と面状部材の外周部との間隙をシールする第１シール部材が、更に備えられてもよい。ここにおいて、第１シール部材が、低反発性を有するスポンジ状材料により構成されると好適である。
【０００９】
上記考案に係る顔面保護具においては、面状部材が、顔面保護具の装着時に、顔面に対向するとともに、顔面における鼻梁を起点として両頬部に向けて夫々伸びる線に沿うよう構成されたリブを備え、リブに被せるように配置され、顔面保護具の装着時に、少なくとも鼻梁と当接するとともに、顔面とリブとの間隙をシールする第２シール部材が、更に備えられてもよい。ここにおいて、リブが、面状部材の外周部まで伸長するよう構成されるとともに、第２シール部材が、面状部材の外周部において、第１シール部材と当接するよう構成されると好適である。
【００１０】
また、上記第２シール部材が、鼻梁と当接する部位において、鼻梁の湾曲に沿うよう構成された湾曲部を備えると好適である。また、第２シール部材が、可撓性を有するシリコーン系材料により構成されると好適である。
【００１１】
上記考案に係る顔面保護具においては、面状部材が、リブと切欠き部との間に相当する部位に、栓部材により閉塞可能に構成された貫通孔を更に備えてもよい。ここにおいて、貫通孔が、面状部材を貫く貫通孔の軸線と、面状部材の面に沿った鉛直方向の線との成す正面下側の角が、鈍角となるよう構成されると好適である。
【００１２】
上記考案に係る顔面保護具においては、マスク部材および面状部材を一体的に挟み込むことが可能なよう構成されたクリップ状の保持部材を更に備え、面状部材が、切欠き部の端部に、保持部材と嵌め合う嵌合部を更に備え、嵌合部にて、マスク部材の端部が保持部材により挟み込まれることで、マスク部材の保持が可能となるよう構成されてもよい。
【００１３】
上記考案に係る顔面保護具においては、面状部材が、透明性を有するアクリル系材料により構成されてもよい。
【図面の簡単な説明】
【００１４】
【図１】本考案の実施形態に係る顔面保護具の構成図である。
【図２】図１に示した顔面保護具を構成する各要素と装着者の顔面との位置関係を説明するための図である。
【図３】図１に示した顔面保護具の縦断面図である。
【図４】図１に示した顔面保護具における、第１シール部材の形状および面状部材への配置関係を説明するための図である。
【図５】図１に示した顔面保護具における、第２シール部材の形状および面状部材への配置関係を説明するための図である。
【図６】図１に示した顔面保護具にマスク部材が保持される場合の、構成する各要素と装着者の顔面との位置関係を説明するための図である。
【図７】図１に示した顔面保護具にマスク部材が保持される場合の、保持部材の形状と、面状部材およびマスク部材との位置関係を説明するための図である。
【図８】図１に示した顔面保護具にマスク部材が保持される場合の、面状部材、保持部材、およびマスク部材の断面図である。
【考案を実施するための形態】
【００１５】
以下、本考案による顔面保護具の実施形態について図面を参照しつつ説明する。
【００１６】
図１は、本考案の実施形態に係る顔面保護具１００の構成図である。顔面保護具１００は、バンド部材１０と、面状部材２０と、第１シール部材３０と、第２シール部材４０と、保持部材５０とを備えている。バンド部材１０は、面状部材２０の左右の各角部に取付けられており、顔面保護具１００の装着者の頭部に嵌め込み可能となっている。装着時には、バンド部材１０を介して、顔面保護具１００が装着者の頭部に保持される。
【００１７】
面状部材２０は、装着者の顔面を覆うことが可能なサイズに、且つ、左右対称に形成されているとともに、所定の厚みを有している。材料としては、透明性を有するアクリルが使用される。面状部材２０は、切欠き部２１と、リブ２２と、貫通孔２３と、嵌合部２４とを備えている。切欠き部２１は、長方形状の空間であり、面状部材２０の下部にて、面状部材２０の対称軸Ａと同軸的に形成されている。
【００１８】
リブ２２は、面状部材２０の片面側（装着者の顔面に対向する面側）のみに、その片面に対し垂直に突出するように、且つ、面状部材２０と一体的に形成されている。リブ２２は、左右対称であり、対称軸Ａを起点に面状部材２０の外周部まで左右夫々伸長するように形成されている。リブ２２は、切欠き部２１よりも上側にて配置されている。
【００１９】
貫通孔２３は、リブ２２と切欠き部２１との間の部位であって、面状部材２０の対称軸Ａ上に配置されている。この貫通孔２３に飲料用ストロー等を差し込むことが可能なようになっている。これにより、顔面保護具１００を装着している装着者が、顔面保護具１００を脱着することなく、貫通孔２３を介して飲料を摂取することができる。また、貫通孔２３は、図示しない栓部材により、閉塞可能にも構成されている。これにより、上述の飲料摂取が不要のときには貫通孔２３が閉塞されて、面状部材２０のシール性が担保される。なお、嵌合部２４は、後述するように、保持部材５０の一部が嵌め合うように形成されている。
【００２０】
第１シール部材３０は、左右対称に形成されているとともに、所定の厚みを有しており、面状部材２０の上側・左側・右側の外周部に、連続的に配置されている。材料としては、低反発性を有するスポンジ材料が使用される。第１シール部材３０は、面状部材２０の片面側（装着者の顔面に対向する面側）のみに、その片面に対し垂直に突出するように配置されている。これにより、第１シール部材３０の突出方向の末端は、装着者の顔面と当接するようになっている。また、上記左右に伸長したリブ２２と、第１シール部材３０の左右夫々の末端部３１とは、面状部材２０の外周部にてそれぞれ当接するよう構成されている。
【００２１】
第２シール部材４０は、左右対称に形成されているとともに、所定の厚みを有しており、上述のように突出しているリブ２２に被せるように配置されている。材料としては、可撓性を有するシリコーンが使用される。第２シール部材４０は、面状部材２０の片面側（装着者の顔面に対向する面側）のみに、その片面に対し垂直に突出するように配置されている。これにより、第２シール部材４０の突出方向の末端は、装着者の顔面と当接するようになっている。また、第１シール部材３０と、第２シール部材４０の左右夫々の末端部４１とは、面状部材２０の外周部にてそれぞれ当接するよう構成されている。
【００２２】
これにより、第１シール部材３０および第２シール部材４０で囲まれる領域は、各シール部材同士の当接により、隙間なくシールすることができる。また、第２シール部材４０は、リブ２２からの取り外しや再装着が可能となっている。このため、装着者の顔面形状や第２シール部材４０の劣化度合いに応じて、面状部材２０はそのままで第２シール部材４０のみ交換することができる。
【００２３】
保持部材５０は、細長形状を呈したクリップであり、所定の厚みをもつ面状部材２０を、切欠き部２１の左右両端部２１ａにおいて挟み込めるよう構成されている。保持部材５０が、面状部材２０に挟み込まれた状態においては、保持部材５０の長軸が、長方形状の切欠き部２１における左右両辺と平行となるよう、保持部材５０は面状部材２０に固定されるようになっている。保持部材５０の固定は、嵌合部２４への保持部材５０の一部の嵌合により達成される。
【００２４】
図２は、顔面保護具１００を構成する各要素と装着者の顔面との位置関係を説明するための図である。バンド部材１０を介して、顔面保護具１００が装着者の頭部にて保持されることで、装着者は顔面保護具１００を装着することができる。以下、図２においては、顔面保護具１００が装着された状態で、上記位置関係を説明する。面状部材２０は、装着者の顔面を覆うように、その顔面に対向配置される。ここにおいて、面状部材２０は、上述のように透明であるため、視野を遮ることなく顔面が保護され得る。
【００２５】
面状部材２０において、顔面における鼻孔Ｎおよび口Ｍを含む領域に対向する部位が、上記切欠き部２１に対応するようになっている。すなわち、鼻孔Ｎおよび口Ｍは、面状部材２０から露呈するようになっている。切欠き部２１は、後述のように、面状部材２０とは別体のマスク部材６０により、その全体が塞がれるようになっている。これにより、鼻孔Ｎおよび口Ｍに対しても保護が可能となり、面状部材２０およびマスク部材６０の両方にて、装着者の顔面の露呈が抑制され得る。
【００２６】
第１シール部材３０は、装着者の顔面と当接することで、顔面と面状部材２０の外周部との間隙をシールするようになっている。ここにおいて、第１シール部材３０は、低反発性であるので、顔面に押し当てられる際にフィットし得る。このため、装着時の隙間の発生が抑制され得る。
【００２７】
面状部材２０と一体形成されたリブ２２は、その突出方向に顔面と対向する。顔面における一点鎖線は、鼻梁を起点として、両頬部に向けて夫々伸びる顔面上の線を示している。リブ２２は、この一点鎖線に沿うよう形成されている。また、リブ２２は、第２シール部材４０と嵌合するようになっている。
【００２８】
第２シール部材４０は、嵌合穴４２と、湾曲部４３とを備えている。第２シール部材４０は、扁平状に形成されており、嵌合穴４２は、リブ２２と嵌合可能に形成されている。これにより、第２シール部材４０は、リブ２２に被せるように配置される。第２シール部材４０は、装着者の顔面（上記一点鎖線上の部位）と当接することで、顔面とリブ２２との間隙をシールするようになっている。ここにおいて、第２シール部材４０は、可撓性であるので、リブ２２からの取り外しおよび取り付けが容易となる。
【００２９】
湾曲部４３は、左右対称の第２シール部材４０の対称軸上に形成されており、鼻梁と当接する部位に形成されている。湾曲部４３の曲がり方は、鼻梁の湾曲に沿うようになっている。これにより、第２シール部材４０が顔面に押し当てられる際、顔面の凹凸に対してもフィットし得るとともに、鼻付近における装着時の煩わしさが低減され得る。
【００３０】
図３は、顔面保護具１００の縦断面図である。この断面図は、図１に示す対称軸Ａに沿ったものであり、面状部材２０、第１シール部材３０、および第２シール部材４０の断面形状を示す図である。
【００３１】
第１シール部材３０および第２シール部材４０は、面状部材２０より、装着者の顔面に向かって突出するようにそれぞれ配置されている。第２シール部材４０は、リブ２２を介して配置されている。リブ２２も、装着者の顔面に向かって突出するとともに、この突出方向に対し先細り形状となっている。リブ２２の先端部位に、嵌合穴４２を介して第２シール部材４０が被さるように配置されている。
【００３２】
面状部材２０の貫通孔２３は、リブ２２と、切欠き部２１との間に配置されている。面状部材２０を貫く貫通孔２３の軸線と、面状部材２０の面に沿った鉛直方向の線との成す正面下側の角Ｂが、鈍角となっている。これにより、貫通孔２３に、飲料用ストロー等を適切に差し込むことができる。この場合、ストローとしては、可撓性をもつものが好ましく、例えば、シリコーン等で構成される。
【００３３】
図４は、第１シール部材３０の形状および面状部材２０への配置関係を説明するための図である。この図は、図１が正面図であるとした場合において、面状部材２０および第１シール部材３０の平面図となる。面状部材２０は、左右対称に所定の曲率で湾曲するよう形成されている。第１シール部材３０は、面状部材２０の湾曲内側に沿って配置されている。第１シール部材３０の厚みにおいては、中心部３２の厚みが最も大きく、中心部３２から両端部に向かって徐々に厚みが小さくなっていく。
【００３４】
図５は、第２シール部材４０の形状および面状部材２０への配置関係を説明するための図である。この図は、図１が正面図であるとした場合において、リブ２２および第２シール部材４０の平面図となる。リブ２２は、面状部材２０の湾曲に追従して形成されている。第２シール部材４０は、中心に位置する湾曲部４３から両端部に向かって、全体的にリブ２２に被せられる。
【００３５】
図６は、顔面保護具１００にマスク部材６０が保持される場合に、構成する各要素と装着者の顔面との位置関係を説明するための図である。以下、図６においては、顔面保護具１００が装着された状態で、上記位置関係を説明する。マスク部材６０は、長方形状の不織布等で形成されている。このマスク部材６０の面積は、切欠き部２１の面積よりも大きい。マスク部材６０が保持されることで、面状部材２０の切欠き部２１は、マスク部材６０により塞がれるようになっている。これとともに、面状部材２０から露呈する鼻孔Ｎおよび口Ｍを含む領域も、マスク部材６０により覆われる。マスク部材６０は、保持部材５０にて、面状部材２０と一体的に挟み込まれることで保持される。
【００３６】
これにより、装着者の耳等を介することなく、マスク部材６０が保持される。従って、顔面保護具１００の装着時において、耳等の痛みを伴うことなく、マスク部材６０により、鼻孔Ｎおよび口Ｍを含む領域を保護することができる。
【００３７】
図７は、保持部材５０の形状と、面状部材２０およびマスク部材６０との位置関係を説明するための図である。クリップ状の保持部材５０は、第１挟持部材５１と、第２挟持部材５２とを備えている。第１挟持部材５１および第２挟持部材５２は、それぞれ片方で連結されており、それらの間には間隙が形成されている、この間隙を介して面状部材２０およびマスク部材６０が、一体的に挟み込まれるようになっている。
【００３８】
第１挟持部材５１は、上記間隙側において、第２挟持部材５２に向かって突出する突起部５３を備えている。保持部材５０により、切欠き部２１の左右両端部２１ａが挟み込まれるとき、突起部５３は、嵌合部２４と嵌合するようになっている。この嵌合部２４は、切欠き部２１の左右両端部２１ａにおける顔面側に形成されている。このため、突起部５３と嵌合部２４との嵌合により、保持部材５０は、切欠き部２１の左右両端と平行になるようそれぞれ固定される。マスク部材６０は、面状部材２０（切欠き部２１の両端部２１ａ）と、第２挟持部材５２との間に介装される。
【００３９】
図８は、面状部材２０、保持部材５０、およびマスク部材６０の断面図である。この図は、顔面保護具１００にて、マスク部材６０が保持部材５０により面状部材２０に保持された状態における断面図である。面状部材２０およびマスク部材６０は、第１挟持部材５１および第２挟持部材５２の間隙に、それぞれ介装される。顔面保護具１００の装着時においては、装着者の顔面から近い順に、第１挟持部材５１、面状部材２０、マスク部材６０、および第２挟持部材５２が、当接しながら隣り合うことになる。第１挟持部材５１が備える突起部５３は、面状部材２０の嵌合部２４に嵌合される。これにより、保持部材５０およびマスク部材６０が、面状部材２０に確実に固定され得る。
【００４０】
以上、本考案の実施形態に係る顔面保護具１００によれば、面状部材２０は、装着者の顔面を覆うように、その顔面に対向配置される。切欠き部２１は、面状部材２０とは別体のマスク部材６０により、その全体が塞がれる。これにより、面状部材２０およびマスク部材６０の両方にて、装着者の顔面の露呈が抑制され得る。
【００４１】
なお、本考案による顔面保護具における構成要素の形状、材料等は、実用新案登録請求の範囲のものであればよく、上記実施形態のものに限定されない。
【符号の説明】
【００４２】
１００…顔面保護具、２０…面状部材、２１…切欠き部、２１ａ…切欠き部の端部、２２…リブ、２３…貫通孔、２４…嵌合部、３０…第１シール部材、４０…第２シール部材、４３…湾曲部、５０…保持部材、６０…マスク部材、Ｍ…口、Ｎ…鼻孔
【図１】
0003228840.tif 000003
【図２】
0003228840.tif 000004
【図３】
0003228840.tif 000005
【図４】
0003228840.tif 000006
【図５】
0003228840.tif 000007
【図６】
0003228840.tif 000008
【図７】
0003228840.tif 000009
【図８】
0003228840.tif 000010